(57)【要約】【課題】ストックに装着して用いられる利便性の高い携帯情報端末を提供すること、また、この携帯情報端末が装着可能なストックおよびアタッチメントを提供すること。【解決手段】本発明の携帯情報端末４は、ケース４１と、ケース４１の外部の気圧を検出する気圧センサーと、少なくとも時刻情報、および気圧センサーの検出結果を用いた情報を表示可能な表示部４２と、ケース４１の外表面に設けられ、ストックのグリップの基端部に装着して用いられる接続部４５と、を備える。【選択図】図４
2015177854.tif 000002
【特許請求の範囲】
【請求項１】
ケースと、
前記ケースの外部の気圧を検出する気圧センサーと、
時刻情報、および前記気圧センサーの検出結果を用いた情報を表示可能な表示部と、
前記ケースに設けられ、ストックのグリップの基端部に装着可能な接続部と、
を備えることを特徴とする携帯情報端末。
【請求項２】
衛星信号を受信する受信機を備える請求項１に記載の携帯情報端末。
【請求項３】
温度を検出する温度センサーを備える請求項１または２に記載の携帯情報端末。
【請求項４】
シャフトと、
前記シャフトの一端部に配置されているグリップと、
前記グリップの基端部に設けられ、携帯情報端末が装着可能なマウント部と、
を備えることを特徴とするストック。
【請求項５】
前記マウント部に装着される前記携帯情報端末に電力を供給可能なバッテリーを保持するバッテリー保持部を備える請求項４に記載のストック。
【請求項６】
衛星信号を受信するアンテナを備える請求項４または５に記載のストック。
【請求項７】
前記マウント部に装着される携帯情報端末に電気的に接続される端子を備える請求項４ないし６のいずれか１項に記載のストック。
【請求項８】
気圧センサーを備える請求項４ないし７のいずれか１項に記載のストック。
【請求項９】
前記マウント部と前記グリップとの間にあって、側方に開放する空間を有する請求項４ないし８のいずれか１項に記載のストック。
【請求項１０】
携帯情報端末が接続可能な第１接続部と、
ストックのグリップの基端部に接続可能な第２接続部と、
を備えることを特徴とするアタッチメント。
【請求項１１】
前記携帯情報端末が前記第１接続部に接続されたときに前記携帯情報端末に電気的に接続される端子と、
前記端子に電気的に接続されているスイッチと、
を備える請求項１０に記載のアタッチメント。
【請求項１２】
前記第１接続部は、前記携帯情報端末が装着されたときに前記携帯情報端末の表示面が前記グリップとは反対側を向いている請求項１０または１１に記載のアタッチメント。
【請求項１３】
前記第１接続部は、前記携帯情報端末が装着されたときに前記携帯情報端末の表示面が側方を向いている請求項１０または１１に記載のアタッチメント。
【発明の詳細な説明】
【技術分野】
【０００１】
本発明は、携帯情報端末、ストックおよびアタッチメントに関するものである。
【背景技術】
【０００２】
特許文献１に開示されているように、時計機能を有するスキー用ストックが知られている。特許文献１に記載のスキー用ストックは、グリップの側面に時刻を表示する表示部が設けられている。
【０００３】
しかし、特許文献１に記載のスキー用ストックは、使用者がグリップを握ると、表示部が使用者の手で隠れてしまうため、滑走中に表示部を視認することが困難であるという問題があった。また、表示部（時計）をグリップから取り外すことができないため、例えば、休憩時等に時計がストックごと盗難されるおそれがあるという問題もあった。
【先行技術文献】
【特許文献】
【０００４】
【特許文献１】特開２００６−３０９９号公報
【発明の概要】
【発明が解決しようとする課題】
【０００５】
本発明の目的は、ストックに装着して用いられる利便性の高い携帯情報端末を提供すること、また、この携帯情報端末が装着可能なストックおよびアタッチメントを提供することにある。
【課題を解決するための手段】
【０００６】
このような目的は、下記の本発明により達成される。
［適用例１］
本発明の携帯情報端末は、ケースと、
前記ケースの外部の気圧を検出する気圧センサーと、
時刻情報、および前記気圧センサーの検出結果を用いた情報を表示可能な表示部と、
前記ケースに設けられ、ストックのグリップの基端部に装着可能な接続部と、
を備えることを特徴とする。
【０００７】
このような携帯情報端末によれば、ストックのグリップの基端部（グリップエンド）に装着することができるため、使用者がグリップを握った状態で、表示部に表示された情報を容易に視認することができ、利便性が高い。また、携帯情報端末をストック（ストック本体）から取り外して使用者が携帯することができ、この点でも、利便性を高めることができ、しかも、盗難を防止することもできる。さらに、気圧センサーの検出結果を用いた情報を表示可能であるため、使用者（特に、スキーヤー、登山者等）の利便性を高めることができる。
【０００８】
［適用例２］
本発明の携帯情報端末では、衛星信号を受信する受信機を備えることが好ましい。
【０００９】
これにより、正確な位置情報や時刻情報を取得することができ、また、その情報またはそれを用いた情報を表示部に表示することもできる。
【００１０】
［適用例３］
本発明の携帯情報端末では、温度を検出する温度センサーを備えることが好ましい。
これにより、温度情報を取得することができ、また、その情報またはそれを用いた情報を表示部に表示することもできる。
【００１１】
［適用例４］
本発明のストックは、シャフトと、
前記シャフトの一端部に配置されているグリップと、
前記グリップの基端部に設けられ、携帯情報端末が装着可能なマウント部と、
を備えることを特徴とする。
【００１２】
このようなストックによれば、携帯情報端末をストックのグリップの基端部に装着することができるため、使用者がグリップを握った状態で、携帯情報端末の表示部に表示された情報を容易に視認することができ、利便性が高い。また、携帯情報端末をストック（ストック本体）から取り外して使用者が携帯することができ、この点でも、利便性を高めることができ、しかも、盗難を防止することもできる。さらに、気圧センサーの検出結果を用いた情報を表示可能であるため、使用者（特に、スキーヤー、登山者等）の利便性を高めることができる。
【００１３】
［適用例５］
本発明のストックでは、前記マウント部に装着される前記携帯情報端末に電力を供給可能なバッテリーを保持するバッテリー保持部を備えることが好ましい。
【００１４】
これにより、携帯情報端末が使用可能な電力の容量を大きくすることができる。そのため、長時間の使用が可能となり、その結果、利便性が高まる。
【００１５】
［適用例６］
本発明のストックでは、衛星信号を受信するアンテナを備えることが好ましい。
【００１６】
これにより、衛星信号を受信し、衛星信号に含まれる情報を携帯情報端末で利用することができる。
【００１７】
［適用例７］
本発明のストックでは、前記マウント部に装着される携帯情報端末に電気的に接続される端子を備えることが好ましい。
これにより、ストック本体に携帯情報端末の追加機能を付加することができる。
【００１８】
［適用例８］
本発明のストックでは、気圧センサーを備えることが好ましい。
【００１９】
これにより、気圧情報を取得することができ、また、その情報またはそれを用いた情報を表示部に表示することもできる。
【００２０】
［適用例９］
本発明のストックでは、前記マウント部と前記グリップとの間にあって、側方に開放する空間を有することが好ましい。
【００２１】
これにより、使用者は、グリップの端面に親指を載せるようにして、かかる空間に親指を入れて、グリップを握ることができる。
【００２２】
［適用例１０］
本発明のアタッチメントは、携帯情報端末が接続可能な第１接続部と、
ストックのグリップの基端部に接続可能な第２接続部と、
を備えることを特徴とする。
【００２３】
このようなアタッチメントによれば、携帯情報端末をストックのグリップの基端部にアタッチメントを介して装着することができるため、使用者がグリップを握った状態で、携帯情報端末の表示部に表示された情報を容易に視認することができ、利便性が高い。また、携帯情報端末をアタッチメントから取り外して使用者が携帯することができ、この点でも、利便性を高めることができ、しかも、盗難を防止することもできる。さらに、気圧センサーの検出結果を用いた情報を表示可能であるため、使用者（特に、スキーヤー、登山者等）の利便性を高めることができる。
【００２４】
［適用例１１］
本発明のアタッチメントでは、前記携帯情報端末が前記第１接続部に接続されたときに前記携帯情報端末に電気的に接続される端子と、
前記端子に電気的に接続されているスイッチと、
を備えることが好ましい。
【００２５】
これにより、携帯情報端末に設けられたスイッチ（ボタン）よりも近い位置で、使用者がスイッチにより携帯情報端末を操作することができる。
【００２６】
［適用例１２］
本発明のアタッチメントでは、前記第１接続部は、前記携帯情報端末が装着されたときに前記携帯情報端末の表示面が前記グリップとは反対側を向いていることが好ましい。
【００２７】
これにより、ストックの長さが一般的な長さである場合に、使用者が携帯情報端末の表示部を容易に視認することができる。
【００２８】
［適用例１３］
本発明のアタッチメントでは、前記第１接続部は、前記携帯情報端末が装着されたときに前記携帯情報端末の表示面が側方を向いていることが好ましい。
【００２９】
これにより、ストックの長さがクロスカントリー用ストックのように比較的長い場合に、使用者が携帯情報端末の表示部を容易に視認することができる。
【図面の簡単な説明】
【００３０】
【図１】本発明の第１実施形態に係るストック（スキー用ストック）を示す側面図である。
【図２】図１に示すストックの断面図である。
【図３】図１に示すストックが備えるアタッチメントの平面図（上面図）である。
【図４】図１に示すストックが備える携帯情報端末を示す図であって、（ａ）は表面図、（ｂ）は裏面図である。
【図５】図４に示す携帯情報端末の制御系を示すブロック図である。
【図６】本発明の第２実施形態に係るストック（スキー用ストック）を示す断面図である。
【図７】図６に示すストックが備えるグリップの平面図（上面図）である。
【図８】図６に示すストックが備える携帯情報端末の裏面図である。
【図９】図８に示す携帯情報端末の制御系を示すブロック図である。
【図１０】本発明の第３実施形態に係るストック（スキー用ストック）を示す図（使用時に手首側から見た図）である。
【発明を実施するための形態】
【００３１】
以下、本発明の携帯情報端末、ストックおよびアタッチメントを添付図面に示す好適な実施形態について説明する。
【００３２】
＜第１実施形態＞
まず、本発明の第１実施形態について説明する。
【００３３】
（ストック）
図１は、本発明の第１実施形態に係るストック（スキー用ストック）を示す側面図、図２は、図１に示すストックの断面図である。以下の説明では、ストックのグリップ側を「基端側」、その反対側を「先端側」という。また、ストックの長手方向または軸方向を単に「軸方向」という。
【００３４】
図１に示すストック１は、時計機能を有するスキー用のストックである。このストック１は、ストック本体２と、ストック本体２の基端部に取り付けられたアタッチメント３と、アタッチメント３に装着された携帯情報端末４と、を備えている。
【００３５】
−ストック本体−
図２に示すように、ストック本体２は、シャフト２１（ポール）と、シャフト２１の基端部に取り付けられたグリップ２２（把持部）と、を有している。なお、図示しないが、シャフト２１の先端部（グリップ２２とは反対側の端部）には、石突部材やバスケットが取り付けられている。
【００３６】
シャフト２１は、例えば、アルミニウム、アルミニウム合金等の金属、または、炭素繊維強化プラスチック等の複合材料で構成されている。また、シャフト２１は、内腔部２１１を有する中空状をなしている。また、シャフト２１は、先端側に向けて幅が漸次減少する形状をなしている。なお、シャフト２１は、中実であってもよいし、幅が一定であってもよい。
【００３７】
このようなシャフト２１の基端部には、グリップ２２が取り付けられている。グリップ２２は、人の手が把持可能な形状や大きさの外形を有している。このグリップ２２は、例えば、ゴム材料、樹脂材料またはエラストマー等で構成されている。また、グリップ２２は、先端側に開口する内腔部２２１を有する有底筒状をなし、その内腔部２２１にシャフト２１の基端部が挿入され、シャフト２１の外表面との摩擦力によりシャフト２１に固定されている。
【００３８】
また、グリップ２２の基端部（底部）には、取付用のボルト２３が挿通される貫通孔２２２が形成されている。ボルト２３は、軸部２３１と、軸部２３１の一端部に設けられた頭部２３２と、を有している。このボルト２３の軸部２３１には、ナット２４が螺合されており、頭部２３２とナット２４との間には、グリップ２２の基端部（底部）および弾性体２５が配置されている。弾性体２５は、例えばゴム材料のような弾性材料で構成され、シャフト２１の基端部の内腔部２１１に挿入されている。そして、ボルト２３をナット２４に対して締め付けることにより、弾性体２５が軸方向に圧縮されることにより拡径する（軸方向に対して垂直な方向に拡がる）ように変形させることができる。これにより、弾性体２５とシャフト２１の内周面との圧着による摩擦力によってもグリップ２２がシャフト２１に対して固定されている。
【００３９】
なお、本実施形態では、ストック本体２として既製品のストックを用いることができる。
【００４０】
−アタッチメント−
アタッチメント３は、前述したグリップ２２の基端部（グリップエンド）に取り付けられている。このアタッチメント３は、グリップ２２に接触している基部３１（第２接続部）と、基部３１に対してグリップ２２とは反対側に配置されているマウント部３２（第１接続部）と、マウント部３２と基部３１との間に設けられたスペーサー部３３と、を有している。これら基部３１、マウント部３２およびスペーサー部３３は、それぞれ、例えば、樹脂材料で構成されている。そして、基部３１、マウント部３２およびスペーサー部３３が一体的に形成されている。
【００４１】
基部３１は、グリップ２２が接続されて用いられる。この基部３１は、グリップ２２の基端面に沿って偏平した形状をなしている。また、この基部３１には、その厚さ方向に貫通する孔３１１が形成されている。この孔３１１は、前述したボルト２３の軸部２３１と同じかまたは若干大きくかつ頭部２３２よりも小さい幅を有しており、基端側からボルト２３の軸部２３１が挿通されている。そして、基部３１は、ボルト２３によりグリップ２２とともに共締めされることにより、シャフト２１およびグリップ２２に対して固定されている。このような固定方法を採用することにより、既製品のストックのグリップに対してアタッチメント３を取り付けることができる。
【００４２】
このような基部３１に対してスペーサー部３３を介してマウント部３２が支持されている。スペーサー部３３は、基部３１の外周部の一部から基端側へ延びている。そして、スペーサー部３３の基端部には、マウント部３２が接続されている。
【００４３】
マウント部３２は、携帯情報端末４が接続されて用いられる。このマウント部３２は、基部３１に対して離間して軸方向に並んで配置されている。そして、マウント部３２と基部３１との間には、人の手Ｈの親指Ｆが入る程度の大きさの空間Ｓが形成されている。
【００４４】
また、マウント部３２は、基部３１に沿って偏平した形状をなしている。すなわち、マウント部３２は、偏平した形状をなし、その偏平面が軸方向に沿った方向を向いて配置されている。また、マウント部３２には、基部３１とは反対側に開口する凹部３２１と、凹部３２１の開口端部から内側に突出する複数（本実施形態では４つ）の突出部３２２（爪）と、を有している。
【００４５】
図３は、図１に示すストックが備えるアタッチメントの平面図（上面図）である。
複数の突出部３２２は、凹部３２１の周方向に沿って互いに間隔（隙間３２３）を隔てて並んで配置されている。
【００４６】
また、マウント部３２には、ロック部材３４が軸部３４１を中心として回動可能に取り付けられている。このロック部材３４は、マウント部３２に装着された携帯情報端末４に対して接近・離間する方向に回動可能である。また、ロック部材３４の軸部３４１とは反対が側の端部には、マウント部３２と係合する爪部３４２が設けられており、この爪部３４２は、マウント部３２と係合することにより、ロック部材３４の規制部３４３が携帯情報端末４に接触した状態（ロック状態）を保持する。規制部３４３は、ロック部材３４のロック状態において、携帯情報端末４がマウント部３２に対して後述する回転操作と反対方向に回転するのを規制する。
【００４７】
また、マウント部３２の中央部には、厚さ方向に貫通する孔３２４が形成されている。この孔３２４は、前述したボルト２３の頭部２３２の幅よりも大きい幅を有している。これにより、この孔３２４を通じて、ボルト２３を設置したり、設置したボルト２３に対して工具を用いて締結したりすることができる。
【００４８】
−携帯情報端末−
図４は、図１に示すストックが備える携帯情報端末を示す図であって、図４（ａ）は表面図、図４（ｂ）は裏面図である。
【００４９】
携帯情報端末４は、腕時計型の携帯情報端末である。この携帯情報端末４は、図４（ａ）に示すように、ケース４１と、ケース４１の一方の面（表面）に設けられた表示部４２と、ケース４１の側面に設けられた複数の操作ボタン４３と、を備えている。また、ケース４１には、使用者の腕に装着する際に用いるバンド４４が着脱可能に取り付けられている。なお、バンド４４がケース４１に対して固定されていてもよい。
【００５０】
ケース４１は、中空の偏平形状をなしている。このケース４１の一方の偏平面側には、表示部４２が設けられ、他方の偏平面側（表示部４２とは反対側）には、図４（ｂ）に示すように、前述したアタッチメント３のマウント部３２に装着可能な接続部４５が設けられている。この接続部４５は、凸部４５１と、凸部４５１の先端部から外側に突出する複数（本実施形態では４つ）の突出部４５２と、を有している。
【００５１】
このような接続部４５は、複数の突出部４５２を、前述したマウント部３２の隙間３２３に合わせて凹部３２１内へ複数の突出部３２２よりも奥に挿入した後、回転操作して複数の突出部３２２と周方向での位置を合わせて係合させることにより、マウント部３２に装着・固定される。
【００５２】
図５は、図４に示す携帯情報端末の制御系を示すブロック図である。
図５に示すように、携帯情報端末４は、表示部４２（表示パネル４２１）、ＧＰＳ受信部４６１、気圧センサー４６２、温度センサー４６３、加速度センサー４６４、ジャイロセンサー４６５、磁気センサー４６６、無線通信部４６７、制御部４６８、電源回路４６９およびバッテリー４７０を有しており、これらが前述したケース４１内に収納されている。
【００５３】
表示部４２は、時刻情報、温度情報（外気温情報）、気圧情報、方位情報、位置情報、標高情報、斜度情報、計時情報等の各種情報を必要に応じて表示可能に構成されている。このような表示部４２は、例えば、液晶パネルまたは有機エレクトロルミネッセンスパネル等の表示パネルと、表示パネルを駆動する駆動回路とを含んで構成されている。
【００５４】
ＧＰＳ受信部４６１は、人工衛星を利用した全地球航法衛星システム（ＧＮＳＳ：Global Navigation Satellite System）の１つであるＧＰＳ（Global Positioning System）に用いるＧＰＳ衛星から送信された衛星信号を受信する機能を有する。また、ＧＰＳ受信部４６１は、衛星信号に重畳されている軌道情報や時刻情報に基づいてＧＰＳ受信部４６１の現在位置（すなわち携帯情報端末４の現在位置）や時刻情報を算出する処理や、時刻が１秒ごとに更新される正確なタイミング信号（１ＰＰＳ）を生成する処理等を行う。
【００５５】
このようなＧＰＳ受信部４６１は、ＧＰＳ受信機４６１１およびＧＰＳアンテナ４６１２を有している。ＧＰＳ受信機４６１１は、例えば、ＲＦ（Radio Frequency）部およびベースバンド部を含んで構成されている。ＲＦ部は、例えば、ＬＮＡ（Low Noise Amplifier）、ミキサ、ＶＣＯ（Voltage Controlled Oscillator）、ＰＬＬ（Phase Locked Loop）回路、ＩＦアンプ、ＩＦ（Intermediate Frequency）フィルタ、ＡＤＣ（Ａ／Ｄ変換器）等を含んで構成されている。ベースバンド部は、例えば、ＤＳＰ（Digital Signal Processor）、ＣＰＵ（Central Processing Unit）、ＳＲＡＭ（Static Random Access Memory）、ＲＴＣ（リアルタイムクロック）を含んで構成されている。また、ベースバンド部には、温度補償回路付き水晶発振回路（ＴＣＸＯ：Temperature Compensated Crystal Oscillator）やフラッシュメモリ等が接続されている。
【００５６】
気圧センサー４６２は、ケース４１外の気圧を検出する機能を有する。この気圧センサー４６２は、例えば、半導体製造技術を用いて製造された小型な気圧センサー（例えばＭＥＭＳ型気圧センサー）を含んで構成されている。より具体的には、例えば、気圧センサー４６２は、受圧により撓み変形するダイヤフラム部と、ダイヤフラム部の撓みを検出する歪検出素子（例えばピエゾ抵抗素子）と、を備えている。ダイヤフラム部は、例えば、シリコンで構成されている。歪検出素子は、例えば、ピエゾ抵抗素子である。
【００５７】
温度センサー４６３は、ケース４１外の温度を検出する機能を有する。この温度センサー４６３は、例えば、熱電対またはサーミスタ等を含んで構成されている。
【００５８】
加速度センサー４６４は、携帯情報端末４に加わる加速度を３軸で検出する機能を有する。この加速度センサー４６４は、例えば、ＭＥＭＳ技術を用いて製造された加速度センサー素子を含んで構成されている。
【００５９】
ジャイロセンサー４６５は、携帯情報端末４に加わる角速度を３軸で検出する機能を有する。このジャイロセンサー４６５は、例えば、ＭＥＭＳ技術を用いて製造された角速度センサー素子を含んで構成されている。
【００６０】
磁気センサー４６６は、地磁気を２軸または３軸で検出する機能を有する。この磁気センサー４６６は、例えば、磁気を検知するホール素子とその信号処理回路とを含んで構成されている。
【００６１】
無線通信部４６７は、無線通信（送信および受信）機能を有する。より具体的には、無線通信部４６７は、前述した各センサーの検出結果またはそれを利用して得られた情報を無線送信する機能を有する。これにより、使用者は、無線通信部４６７から無線送信された情報を、例えば、パーソナルコンピューター等のホスト（図示せず）で受信して利用することができる。
【００６２】
また、無線通信部４６７は、例えば、使用者の身体に取り付けられた無線機能付きのセンサーからの情報を受信する機能をさらに有する。例えば、かかるセンサーとして加速度センサー、角速度センサー等を用いることにより、使用者の身体の動き（姿勢の変化）を検出することができる。かかる検出結果を単独または他の検知情報と組み合わせて、有益な情報を得ることができる。
このような無線通信部４６７は、アンテナ４６７１および通信回路４６７２を有する。
【００６３】
アンテナ４６７１は、特に限定されないが、例えば、金属材料、カーボン等で構成され、巻線、薄膜等の形態をなす。なお、アンテナ４６７１は、送信および受信に共通して１つのアンテナで構成されていてもよいし、送信および受信のそれぞれに対応して２つのアンテナで構成されていてもよい。
【００６４】
通信回路４６７２は、例えば、電磁波を送信するための送信回路と、送信する信号を変調する機能を有する変調回路と、電磁波を受信するための受信回路と、受信する信号を復調する機能を有する復調回路とを有する。なお、通信回路４６７２は、信号の周波数を小さく変換する機能を有するダウンコンバータ回路、信号の周波数を大きく変換する機能を有するアップコンバータ回路、信号を増幅する機能を有する増幅回路等を有していてもよい。
【００６５】
制御部４６８は、携帯情報端末４の各部を制御する機能を有する。具体的には、制御部４６８は、携帯情報端末４が備えるセンサー等から得られる情報に基づいて、時刻情報、温度情報（外気温情報）、気圧情報、方位情報、位置情報、標高情報、斜度情報、計時情報等の各種情報を必要に応じて表示部４２（表示パネル４２１）に表示する。また、制御部４６８は、操作ボタン４３の操作により、表示部４２に表示する情報の種類や表示形態を変更する機能を有する。
【００６６】
ここで、表示部４２に表示する情報は、各センサーの検出結果をそのまま表示してもよいし、その検出結果に基づいて必要に応じて計算を行った結果を表示してもよい。例えば、時刻情報は、ＧＰＳ受信部４６１からの出力またはその出力に基づく計算結果から得られる。温度情報は、温度センサー４６３の検出結果またはその検出結果に基づく計算結果から得られる。気圧情報は、気圧センサー４６２の検出結果またはその検出結果に基づく計算結果から得られる。方位情報は、磁気センサー４６６の検出結果またはその検出結果に基づく計算結果から得られる。位置情報は、緯度情報、経度情報および高度情報（標高情報）からなり、緯度情報および経度情報は、ＧＰＳ受信部４６１からの出力に基づく計算結果から得られ、高度情報は、気圧センサー４６２の検出結果に基づく計算結果から得られる。斜度情報は、ＧＰＳ受信部４６１からの出力（時刻情報、緯度情報および経度情報）と、気圧センサー４６２の検出結果（高度情報）とに基づく計算結果から得られる。計時情報は、ＧＰＳ受信部４６１からの出力（時刻情報）に基づく計算結果から得られる。これらの情報は、１つを単独でまたは２つ以上を組み合わせて表示部４２に表示される。また、あるセンサーの検出結果を他のセンサーの検出結果に基づいて補正してもよい。
【００６７】
このような制御部４６８は、例えば、ＣＰＵ（Central Processing Unit）、ＲＯＭ（read only memory）、ＲＡＭ（Random Access Memory）、Ｉ／Ｏ（input/output）ポート等を含んで構成されている。
【００６８】
電源回路４６９は、バッテリー４７０からの電力を、前述したケース４１内の電子部品または電子回路に対して必要に応じて供給する機能を有する。バッテリー４７０としては、特に限定されないが、例えば、リチウム電池等の一次電池、または、リチウムイオン電池、ニッケル水素電池等の二次電池を用いることができる。
【００６９】
なお、電源回路４６９による電力の供給は、常時行ってもよいが、携帯情報端末４が電源スイッチを有する場合、電源スイッチの操作によりオンオフできるようになっていてもよく、また、携帯情報端末４が電力入力端子を有する場合、電力入力端子から電力が入力されるときに、電力入力端子からの電力により供給を行い、バッテリー４７０からの電力供給を停止してもよい。
【００７０】
以上説明したようなストック１によれば、グリップ２２の基端部に携帯情報端末４を装着することができるため、使用者がグリップ２２を握った状態で、表示部４２に表示された情報を容易に視認することができ、利便性が高い。本実施形態では、マウント部３２に装着された携帯情報端末４の表示部４２がグリップ２２とは反対側を向いているため、ストック１の長さが一般的な長さである場合に、使用者が携帯情報端末４の表示部４２を容易に視認することができる。
【００７１】
また、携帯情報端末４をストック１（ストック本体２）から取り外して使用者が携帯することができ、この点でも、利便性を高めることができ、しかも、盗難を防止することもできる。さらに、気圧センサー４６２の検出結果を用いた情報を表示可能であるため、使用者（特に、スキーヤー、登山者等）の利便性を高めることができる。
【００７２】
また、ストック１は、ＧＰＳ受信機４６１１およびＧＰＳアンテナ４６１２を備えるため、衛星信号を受信し、衛星信号に含まれる情報を携帯情報端末４で利用することができる。例えば、正確な位置情報や時刻情報を取得することができ、また、その情報またはそれを用いた情報を表示部４２に表示することもできる。
【００７３】
また、ストック１は、温度を検出する温度センサー４６３を備えるため、温度情報を取得することができ、また、その情報またはそれを用いた情報を表示部４２に表示することもできる。
【００７４】
また、マウント部３２とグリップ２２との間に側方に開放する空間Ｓが形成されているため、使用者は、グリップ２２の端面（グリップエンド）に親指Ｆを載せるようにして、かかる空間Ｓに親指Ｆを入れて、グリップ２２を握ることができる。
【００７５】
＜第２実施形態＞
次に本発明の第２実施形態について説明する。
【００７６】
図６は、本発明の第２実施形態に係るストック（スキー用ストック）を示す断面図、図７は、図６に示すストックが備えるグリップの平面図（上面図）、図８は、図６に示すストックが備える携帯情報端末の裏面図である。また、図９は、図８に示す携帯情報端末の制御系を示すブロック図である。
【００７７】
以下、本発明の第２実施形態について説明するが、前述した実施形態との相違点を中心に説明し、同様の事項はその説明を省略する。なお、図６ないし図９において、前述した実施形態と同様の構成については、同一符号を付している。
【００７８】
第２実施形態は、アタッチメントとグリップが一体化されているとともに、グリップにバッテリーおよびスイッチが追加されていること以外は、前述した第１実施形態と同様である。
【００７９】
図６に示すストック１Ａは、シャフト２１と、シャフト２１の基端部に取り付けられたグリップ２２Ａと、グリップ２２Ａに装着された携帯情報端末４Ａと、を備えている。
【００８０】
グリップ２２Ａは、グリップ部２２０と、グリップ部２２０の基端側に配置されているマウント部３２Ａと、マウント部３２Ａとグリップ部２２０との間に設けられたスペーサー部３３Ａと、グリップ部２２０に設けられたスイッチ２２３と、を有している。これらグリップ部２２０、マウント部３２Ａおよびスペーサー部３３Ａは、それぞれ、例えば、樹脂材料で構成されている。そして、グリップ部２２０、マウント部３２Ａおよびスペーサー部３３Ａが一体的に形成されている。
【００８１】
グリップ部２２０は、軸方向に貫通する内腔部２２１Ａを有する有底筒状をなし、その内腔部２２１Ａにシャフト２１の基端部が挿入され、シャフト２１の外表面との摩擦力によりシャフト２１に固定されている。なお、グリップ部２２０の基端部（底部）は、前述した第１実施形態の基部３１と同様に構成されている。
【００８２】
また、内腔部２２１Ａには、バッテリーホルダー２６（バッテリー保持部）が挿入されている。このバッテリーホルダー２６は、バッテリー２７を保持しており、バッテリーホルダー２６のバッテリー２７を保持している部分がバッテリー２７ごとシャフト２１の内腔部２１１に挿入されている。このようなバッテリーホルダー２６は、例えば、樹脂材料で構成されている。また、バッテリー２７としては、シャフト２１内に収納可能な大きさであれば特に限定されないが、例えば、単４型または単６型の乾電池等を用いることができる。
【００８３】
このように設置されたバッテリー２７は、図示しない配線を介して、図７に示すマウント部３２Ａに配置された１対の端子２９１に電気的に接続されている。
【００８４】
また、図６に示すように、グリップ部２２０には、使用者がグリップ部２２０を把持したときに、人差し指で操作可能なスイッチ２２３が設けられている。このスイッチ２２３は、図示しない配線を介して、図７に示すマウント部３２Ａに配置された１対の端子２９２に電気的に接続されている。
【００８５】
なお、マウント部３２Ａは、１対の端子２９１および１対の端子２９２が設けられている以外は、前述した第１実施形態のマウント部３２と同様に構成されている。
【００８６】
このようなマウント部３２に装着される携帯情報端末４Ａは、前述した第１実施形態の携帯情報端末４と同様に、マウント部３２に対して着脱可能に構成されている。また、この携帯情報端末４Ａのケース４１の裏面には、前述したマウント部３２Ａに配置された１対の端子２９１および１対の端子２９２に対応する１対の端子４７１および１対の４７２が設けられている。この１対の端子４７１および１対の４７２は、携帯情報端末４Ａがマウント部３２に装着されたときに、対応する１対の端子２９１および１対の端子２９２に電気的に接続される。
【００８７】
この１対の端子４７１は、携帯情報端末４Ａ内のバッテリー４７０の電力供給経路（図９に示す電源回路４６９）に電気的に接続されている。これにより、バッテリー２７から携帯情報端末４Ａに電力供給を行うことができる。そのため、電力の容量を増やすことができ、長時間にわたって携帯情報端末４Ａの使用が可能となる。特に、寒冷地では、電池の寿命が短くなるため、電池の容量を増やすことは有用である。また、１対の端子４７２は、携帯情報端末４Ａ内の制御部４６８に電気的に接続されている。これにより、スイッチ２２３と制御部４６８とを電気的に接続することができ（図９参照）、スイッチ２２３を用いて携帯情報端末４Ａを操作することができる。そのため、利便性を向上させることができる。
【００８８】
また、グリップ部２２０の基端部とマウント部３２Ａとの間に設けられたスペーサー部３３Ａは、前述した第１実施形態のスペーサー部３３と同様に構成されている。
【００８９】
以上説明したような第２実施形態によれば、マウント部３２Ａに、携帯情報端末４Ａに電気的に接続される端子２９１が設けられているため、携帯情報端末４Ａの外部に設けられたバッテリー２７から、マウント部３２Ａに装着された携帯情報端末４Ａに電力を供給することができるため、携帯情報端末４Ａが使用可能な電力の容量を大きくすることができる。そのため、長時間の使用が可能となり、その結果、利便性が高まる。
【００９０】
また、マウント部３２Ａに、携帯情報端末４Ａに電気的に接続される端子２９１が設けられているため、携帯情報端末４Ａに設けられたスイッチ（ボタン）４３よりも近い位置で、使用者がスイッチ２２３により携帯情報端末４Ａを操作することができる。
【００９１】
＜第３実施形態＞
次に本発明の第３実施形態について説明する。
【００９２】
図１０は、本発明の第３実施形態に係るストック（スキー用ストック）を示す図（使用時に手首側から見た図）である。
【００９３】
以下、本発明の第３実施形態について説明するが、前述した実施形態との相違点を中心に説明し、同様の事項はその説明を省略する。なお、図１０において、前述した実施形態と同様の構成については、同一符号を付している。
【００９４】
第３実施形態は、アタッチメントのマウント部の配置が異なること以外は、前述した第１実施形態と同様である。
【００９５】
図１０に示すストック１Ｂは、ストック本体２と、ストック本体２の基端部に取り付けられたアタッチメント３Ｂと、アタッチメント３Ｂに装着された携帯情報端末４と、を備えている。
【００９６】
アタッチメント３Ｂは、グリップ２２に接触している基部３１と、基部３１に対してグリップ２２とは反対側に配置されているマウント部３２Ｂと、を有している。
【００９７】
マウント部３２Ｂは、基部３１からグリップ２２とは反対側に延びている。このマウント部３２Ｂは、偏平した形状をなし、その偏平面が軸方向に交差する方向（側方）を向いて配置されている。このマウント部３２Ｂに装着された携帯情報端末４の表示部４２は側方を向く。そのため、ストック１Ｂがクロスカントリー用ストックのように長い場合であっても、使用者がストック１Ｂの使用を中断することなく（例えば、競技中にタイムロスとなるような無駄な動作を行うことなく）、携帯情報端末４の表示部４２を容易に視認することができる。
【００９８】
以上、本発明の携帯情報端末、ストックおよびアタッチメントを図示の各実施形態に基づいて説明したが、本発明はこれらに限定されるものではなく、各部の構成は、同様の機能を有する任意の構成のものに置換することができる。また、他の任意の構成物が付加されていてもよい。
【００９９】
また、前述した実施形態では、本発明の携帯情報端末が装着されるストックがスキー用ストックである場合を例に説明したが、これに限定されず、登山用、ウォーキング用等のストック（杖）にも本発明は適用可能である。
【符号の説明】
【０１００】
１‥‥ストック
１Ａ‥‥ストック
１Ｂ‥‥ストック
２‥‥ストック本体
３‥‥アタッチメント
３Ｂ‥‥アタッチメント
４‥‥携帯情報端末
４Ａ‥‥携帯情報端末
２１‥‥シャフト
２２‥‥グリップ
２２Ａ‥‥グリップ
２３‥‥ボルト
２４‥‥ナット
２５‥‥弾性体
２６‥‥バッテリーホルダー
２７‥‥バッテリー
３１‥‥基部
３２‥‥マウント部
３２Ａ‥‥マウント部
３２Ｂ‥‥マウント部
３３‥‥スペーサー部
３３Ａ‥‥スペーサー部
３４‥‥ロック部材
４１‥‥ケース
４２‥‥表示部
４３‥‥操作ボタン
４４‥‥バンド
４５‥‥接続部
２１１‥‥内腔部
２２０‥‥グリップ部
２２１‥‥内腔部
２２１Ａ‥‥内腔部
２２２‥‥貫通孔
２２３‥‥スイッチ
２３１‥‥軸部
２３２‥‥頭部
２９１‥‥端子
２９２‥‥端子
３１１‥‥孔
３２１‥‥凹部
３２２‥‥突出部
３２３‥‥隙間
３２４‥‥孔
３４１‥‥軸部
３４２‥‥爪部
３４３‥‥規制部
４２１‥‥表示パネル
４５１‥‥凸部
４５２‥‥突出部
４６１‥‥受信部
４６２‥‥気圧センサー
４６３‥‥温度センサー
４６４‥‥加速度センサー
４６５‥‥ジャイロセンサー
４６６‥‥磁気センサー
４６７‥‥無線通信部
４６８‥‥制御部
４６９‥‥電源回路
４７０‥‥バッテリー
４７１‥‥端子
４７２‥‥端子
４６１１‥‥ＧＰＳ受信機
４６１２‥‥ＧＰＳアンテナ
４６７１‥‥アンテナ
４６７２‥‥通信回路
Ｓ‥‥空間
【図１】
2015177854.tif 000003
【図２】
2015177854.tif 000004
【図３】
2015177854.tif 000005
【図４】
2015177854.tif 000006
【図５】
2015177854.tif 000007
【図６】
2015177854.tif 000008
【図７】
2015177854.tif 000009
【図８】
2015177854.tif 000010
【図９】
2015177854.tif 000011
【図１０】
2015177854.tif 000012